(57)【要約】【課題】視覚的効果が高いデータの表示方法を有するランキングシステムを提供する。【解決手段】まず、売上管理データ２６に売上情報が保持され、表示用フォーマットデータ２７に各種表示タイプに対応する表示用フォーマットデータが保持されており、管理サーバ２０に対してなされた通信接続要求が、ログイン処理部２２によって認証されるとログイン処理が行われ（ステップS１０１）、接続された通信による処理要求がデータの登録要求か閲覧要求かを判別し（ステップS１０２）、閲覧要求と判別すると、表示処理部２５が、閲覧要求にしたがって売上管理データ２６及び表示用フォーマットデータ２７のデータを用いて、表示データを生成する表示処理を行い（ステップS１０５）、通信制御部２１が、データの閲覧要求を行った店舗１０A〜店舗１０C及び携帯端末３０に表示データを送信する（ステップS１０６）。【選択図】図４
2007102432.tif 000002
【特許請求の範囲】
【請求項１】
ランキング情報を予め格納したデータベースを有し、ネットワークを介して接続された通信端末から受信した情報に基づいて新たなランキング情報を生成し、生成した前記新たなランキング情報を前記通信端末に配信するサーバを有するランキングシステムにおいて、
前記サーバは、前記通信端末からの閲覧要求にしたがって、前記データベースに格納された前記新たなランキング情報を所定の順序に序列させて生成した閲覧用ランキング情報の表示方法を選択し、
選択した前記表示方法に基づいて前記閲覧用ランキング情報から表示データを生成し、
生成した前記表示データを、前記通信端末に配信することを特徴とするランキングシステム。
【請求項２】
選択される前記表示方法は、それぞれ所定の書式を予め有していることを特徴とする請求項１に記載のランキングシステム。
【請求項３】
選択される前記表示方法における前記所定の書式は、より詳細な書式を設定する属性情報を選択することを特徴とする請求項２に記載のランキングシステム。
【請求項４】
選択される前記表示方法は、ランキング順に各順位の情報を拡大又は強調して表示することを特徴とする請求項１から請求項３のいずれか１項に記載のランキングシステム。
【請求項５】
選択される前記表示方法は、ランキングの上位又は特定の順位に関する画像情報を表示することを特徴とする請求項１から請求項３のいずれか１項に記載のランキングシステム。
【請求項６】
選択される前記表示方法は、ランキングの上位又は特定の順位に対して修飾する文字や図形を表示することを特徴とする請求項１から請求項５のいずれか１項に記載のランキングシステム。
【請求項７】
前記データベースは、売上情報を予め格納し、
前記サーバは、前記通信端末から受信した売上情報と前記データベースに予め格納した売上情報とに基づいて所定の順序に序列させて生成した閲覧用売上ランキング情報の表示方法を選択し、
選択した前記表示方法に基づいて前記閲覧用売上ランキング情報から表示データを生成し、
生成した前記表示データを、前記通信端末に配信することを特徴とする請求項１から請求項６のいずれか１項に記載のランキングシステム。
【請求項８】
ランキング情報を予めデータベースに格納し、ネットワークを介して接続された通信端末から受信した情報に基づいて新たなランキング情報を生成するサーバが、生成した前記新たなランキング情報を前記通信端末に配信して表示するランキング表示方法において、
前記通信端末からの閲覧要求にしたがって、前記データベースに格納した前記新たなランキング情報を所定の順序に序列させて生成した閲覧用ランキング情報の表示方法を選択するステップと、
選択した前記表示方法に基づいて前記閲覧用ランキング情報から表示データを生成するステップと、
生成した前記表示データを、前記通信端末に配信するステップとを有することを特徴とするランキング表示方法。
【請求項９】
表示方法を選択する前記ステップは、それぞれ予め定められた所定の書式を選択するステップを有することを特徴とする請求項８に記載のランキング表示方法。
【請求項１０】
前記所定の書式を選択するステップは、より詳細な書式を設定する属性情報を選択することを特徴とする請求項９に記載のランキング表示方法。
【請求項１１】
前記サーバは、前記データベースに売上情報を予め格納し、
前記通信端末から受信した売上情報と前記データベースに予め格納した売上情報とに基づいて所定の順序に序列させて生成した閲覧用売上ランキング情報の表示方法を選択するステップと、
選択した前記表示方法に基づいて前記閲覧用売上ランキング情報から表示データを生成するステップと、
生成した前記表示データを、前記通信端末に配信するステップとを有すること特徴とする請求項８から請求項１０のいずれか１項に記載のランキング表示方法。
【請求項１２】
ランキング情報が予め格納されたデータベースを有し、ネットワークを介して接続された通信端末から受信した情報に基づいて新たなランキング情報を生成し、生成した前記新たなランキング情報を前記通信端末に配信するサーバにおいて、
前記通信端末からの閲覧要求にしたがって、前記データベースに格納した前記新たなランキング情報を所定の順序に序列させて生成した閲覧用ランキング情報の表示方法を選択する選択手段と、
選択した前記表示方法に基づいて前記閲覧用ランキング情報から表示データを生成する生成手段と、
生成した前記表示データを、前記通信端末に配信するする配信手段とを有することを特徴とするサーバ。
【請求項１３】
前記選択手段は、それぞれ予め定められた所定の書式を選択する書式選択手段を有することを特徴とする請求項１２に記載のサーバ。
【請求項１４】
前記書式選択手段は、より詳細な書式を設定する属性情報を選択する属性情報選択手段を有すること特徴とする請求項１３に記載のサーバ。
【請求項１５】
ランキング情報を予め格納したデータベースを有し、ネットワークを介して接続された通信端末から受信した情報に基づいて新たなランキング情報を生成し、生成した前記新たなランキング情報を前記通信端末に配信して表示するサーバ上で実行されるランキング表示プログラムであって、
前記通信端末からの閲覧要求にしたがって、前記データベースに格納した前記新たなランキング情報を所定の順序に序列させて生成した閲覧用ランキング情報の表示方法を選択する機能と、
選択した前記表示方法に基づいて前記閲覧用ランキング情報から表示データを生成する機能と、
生成した前記表示データを、前記通信端末に配信する機能とを前記サーバに持たせることを特徴とするランキング表示プログラム。
【請求項１６】
表示方法を選択する前記機能は、予め定められた所定の書式を選択する機能を有することを特徴とする請求項１５に記載のランキング表示プログラム。
【請求項１７】
前記所定の書式を選択する機能は、より詳細な書式を設定する属性情報を選択する機能を有することを特徴とする請求項１６に記載のランキング表示プログラム。
【発明の詳細な説明】
【技術分野】
【０００１】
本発明は、ランキングに関し、特に、随時表示内容を更新することが可能なランキングシステム、ランキング表示方法、サーバ及びランキング表示プログラムに関する。
【背景技術】
【０００２】
従来、随時表示内容を更新することが可能なランキングシステムの１例として、特開２００３−０２９６１５号公報（特許文献１）が、外国語会話コミュニケーション能力」と「スポーツ能力」との関係に着目した「ランキングシステム」を提供する。
【０００３】
特許文献１は、優れたスポーツ選手を発掘することを目的とすると共に、スポーツ選手の外国語会話コミュニケーション能力を養成することにより、国際的舞台で活躍するスポーツ選手や、インストラクターを選考、又は、輩出するため等に使用するランキングシステムを開示している。
【０００４】
特許文献１に開示されるランキングシステムは、スポーツの種類やその記録や順位を入力する手段と、該記録や順位からスポーツポイントを演算する手段と、語学を選択する手段と、該外国語会話コミュニケーション能力を入力する手段と、該外国語会話コミュニケーション能力をポイント換算する手段と、前記スポーツポイントと語学ポイントをネットワークを介してネットワークサーバに記録蓄積されたデータと比較してランキングを算出する手段と、該ランキングを表示する手段とから構成される。
【０００５】
また、従来、随時表示内容を更新することが可能なランキングシステムのランキング提示方法の１例として、特開２００２−２３６７７４号公報（特許文献２）が、ユーザの投票により成り立つ所定のテーマに関するランキングで提供される情報を、高い精度、鮮度とすることが可能な情報提供装置におけるランキング提示方法を提供する。
【０００６】
特許文献２に開示されるランキング提示方法は、ユーザ端末からネットワークを介して投票された、所定のテーマに関するそのマイランキングを受け付ける手順と、そのユーザに関する情報に対応付けられてデータベースに登録され、登録された複数のユーザのマイランキングが集計される手順と、総合のランキング結果として、ネットワークに接続されたユーザ端末に公開する手順と、その後、ユーザ端末からネットワークを介して投票された既に登録されたマイランキングの変更を受け付ける手順と、そのユーザ端末のユーザに関して既に登録されたマイランキングの内容を、当該変更に係るマイランキングの内容に更新する手順と、再度、複数のユーザのマイランキングを集計する手順と、総合のランキング結果として、ネットワークに接続されたユーザ端末に公開する手順とを有するものである。
【特許文献１】特開２００３−０２９６１５号公報
【特許文献２】特開２００２−２３６７７４号公報
【発明の開示】
【発明が解決しようとする課題】
【０００７】
しかし、従来のランキングシステムは、ランキングのための演算に用いるパラメータの種類やその数に着目しているが、演算結果のデータの表示方法については着目しておらず、表示されたランキングの視覚的効果が高くなかった。
【０００８】
特に、特許文献１や特許文献２に記載のランキングシステムは、演算結果のデータを一般的な所定のフォーマットによって表示するだけであり、データの表示方法において、視覚的効果についての示唆もない。
【０００９】
本発明の目的は、視覚的効果が高いデータの表示方法を有するランキングシステムを提供することにある。
【課題を解決するための手段】
【００１０】
上記目的を達成するため本発明のランキングシステムは、ランキング情報を予め格納したデータベースを有し、ネットワークを介して接続された通信端末から受信した情報に基づいて新たなランキング情報を生成し、生成した前記新たなランキング情報を前記通信端末に配信するサーバを有するランキングシステムにおいて、前記サーバは、前記通信端末からの閲覧要求にしたがって、前記データベースに格納された前記新たなランキング情報を所定の順序に序列させて生成した閲覧用ランキング情報の表示方法を選択し、選択した前記表示方法に基づいて前記閲覧用ランキング情報から表示データを生成し、生成した前記表示データを、前記通信端末に配信することを特徴とする。
【００１１】
請求項２の本発明のランキングシステムは、選択される前記表示方法は、それぞれ所定の書式を予め有していることを特徴とする。
【００１２】
請求項３の本発明のランキングシステムは、選択される前記表示方法における前記所定の書式は、より詳細な書式を設定する属性情報を選択することを特徴とする。
【００１３】
請求項４の本発明のランキングシステムは、選択される前記表示方法は、ランキング順に各順位の情報を拡大又は強調して表示することを特徴とする。
【００１４】
請求項５の本発明のランキングシステムは、選択される前記表示方法は、ランキングの上位又は特定の順位に関する画像情報を表示することを特徴とする。
【００１５】
請求項６の本発明のランキングシステムは、選択される前記表示方法は、ランキングの上位又は特定の順位に対して修飾する文字や図形を表示することを特徴とする。
【００１６】
（作用）
本発明のランキングシステムは、データベースに格納した新たなランキング情報を所定の順序に序列させて生成した閲覧用ランキング情報の表示方法を選択し、選択した表示方法に基づいて新たなランキング情報から表示データを生成するので、新たなランキング情報を複数の表示方法で表示できる。
【発明の効果】
【００１７】
本発明によれば、視覚的効果が高いデータの表示方法を有するランキングシステムを実現することが可能となる。
【００１８】
その理由は、データベースに格納した新たなランキング情報を所定の順序に序列させて生成した閲覧用ランキング情報の表示方法を選択し、選択した表示方法に基づいて新たなランキング情報から表示データを生成するので、新たなランキング情報を複数の表示方法で表示できるからである。
【発明を実施するための最良の形態】
【００１９】
次に、本発明の第１の実施の形態について図面を参照して詳細に説明する。
【００２０】
（第１の実施の形態の構成）
図１は、第１の実施の形態によるランキングシステムの構成の概略を示す図であり、図１を参照すると、本実施の形態によるランキングシステムは、管理サーバ２０が店舗１０A〜店舗１０C及び携帯端末３０と有線又は無線によるネットワークで接続されている。
【００２１】
管理サーバ２０は、店舗１０A〜店舗１０Cに管理画面を表示させ、店舗１０A〜店舗１０Cから送信された情報に基づいて、売上加算、修正等の処理を行い、店舗１０A〜店舗１０Cや携帯端末３０にランキング表示を行う。
【００２２】
店舗１０Aは、例えば、表示手段を有する営業用フロアや、店舗端末１１Ａを有して管理業務等を行う事務所等を備える。
【００２３】
表示手段は、管理サーバ２０から送信された情報を表示する機能を備え、店舗端末１１Ａは、例えば、通信機能を備えるパーソナルコンピュータであり、ネットワークを介してサーバと情報をやり取りする機能や、情報を入力してサーバに対する各種処理の要求を行う機能や、サーバから送信された情報の表示を行う機能等を備える。
【００２４】
なお、店舗１０B、１０Cも同様の構成及び機能を備える。
【００２５】
携帯端末３０は、例えば携帯電話であり、一般的な入力手段及び表示手段や、サーバとネットワーク接続することによって、所定の情報をやり取りする通信手段を有する。
【００２６】
なお、本実施の形態によるランキングシステムは、異サーバ間でも円滑に動作可能な汎用型システムである。
【００２７】
図２は、第１の実施の形態によるランキングシステムの管理サーバ２０の構成の１例を示すブロック図である。
【００２８】
管理サーバ２０は、通信制御部２１と、ログイン処理部２２と、売上管理処理部２３と、登録情報処理部２４と、表示処理部２５と、売上管理データ２６と、表示用フォーマットデータ２７とを有し、店舗１０A〜店舗１０Cや、携帯端末３０からネットワークを介して取得した情報に基づいて所定の処理を行い、当該処理を行った情報を店舗１０A〜店舗１０Cや、携帯端末３０に送信する機能を備える。
【００２９】
ここで、通信制御部２１は、ネットワーク接続することによって、店舗１０A〜店舗１０C内にある通信機能を持つ店舗端末１１Ａ〜１１Ｃや、携帯端末３０との通信を制御する機能を有する。
【００３０】
ここで、ログイン処理部２２は、通信制御部２１によって接続された通信先が、正規の接続権限を有するか否かを判断し、正規の接続権限を有する通信先にのみ情報の送受信を許可する機能を有する。
【００３１】
ここで、売上管理処理部２３は、通信制御部２１から売上に関するデータを取得すると、売上管理データ２６から該当する各担当者、各店舗、各商品等の売上情報を取得して所定の処理を行い、売上管理データ２６の売上情報を更新する機能を有する。
【００３２】
ここで、登録情報処理部２４は、通信制御部２１から登録に関するデータを取得すると、売上管理データ２６に反映させる機能を有する。
【００３３】
ここで、表示処理部２５は、更新された売上管理データ２６と、後述する表示用フォーマットデータ２７のうち選択された表示方法（表示タイプ）に対応する表示用フォーマットデータとに基づいて表示データを生成し、通信制御部２１に送信する機能を有する。
【００３４】
ここで、売上管理データ２６は、各担当者、各店舗、各商品等の売上額を含む売上情報を識別して保持しており、例えば、単位時間当たりの販売金額や、所定期間内の累計販売額などの情報によって構成される。
【００３５】
なお、売上管理データ２６は、管理サーバ２０が有するデータの１例であり、他に例えば、店舗管理データ、担当者管理データ、商品管理データ、稼働率管理データ、オプション管理データなどであってもよい。
【００３６】
ここで、店舗管理データは、各店舗を識別するための情報であり、例えば、複数の店舗を持つ飲食業、物販業、サービス業等のチェーン店において、業態、店番号、所在地、店舗責任者、床面積、部屋数、店舗画像などによって構成される。
【００３７】
ここで、担当者管理データは、各担当者を識別するための情報であり、例えば、氏名、生年月日、住所、電話番号、メールアドレス、肩書き、担当者画像などによって構成される。
【００３８】
ここで、商品管理データは、各商品を識別するための情報であり、例えば、商品名、商品コード、メーカー、仕入れ先、仕入れ先住所、仕入れ先電話番号、仕入れ先担当者名、商品画像などによって構成される。
【００３９】
ここで、稼働率管理データは、単位時間当たりの指名率、使用率などによって構成される。
【００４０】
ここで、オプション管理データは、その他の情報であり、例えば、ランキングの表示方法等における利用者独自の設定情報などによって構成される。
【００４１】
ここで、表示用フォーマットデータ２７は、売上管理データ２６で保持しているデータをどのように表示するかという表示方法について、各種表示方法（表示タイプ）に対応するフォーマットデータである表示用フォーマットデータを保持しており、利用者によって選択された表示方法（表示タイプ）に対応する表示用フォーマットデータが表示処理部２５に取得される。
【００４２】
この表示用フォーマットデータ２７は、売上管理データ２６で保持しているデータをどのように表示するかという表示方法について、より詳細な属性データを有していてもよい。
【００４３】
この属性データは、例えば、利用者によって選択された表示方法（表示タイプ）について、例えば、文字の大きさや配色やスクロールや拡大・縮小等のより詳細な様々な表示設定についてのデータであり、表示方法（表示タイプ）同様、利用者によって選択可能なデータである。
【００４４】
なお、売上管理データ２６以外に上記に示すような各種データがある場合には、表示用フォーマットデータ２７は、それらのデータに対応する表示用フォーマットデータを保持していてもよい。
【００４５】
ここで、サーバのハードウェア構成の説明をする。
【００４６】
図３は、本実施の形態によるランキングシステムのサーバのハードウェア構成を示すブロック図である。
【００４７】
図３を参照すると、本発明によるサーバは、一般的なコンピュータ装置と同様のハードウェア構成によって実現することができ、ＣＰＵ（Ｃｅｎｔｒａｌ  Ｐｒｏｃｅｓｓｉｎｇ  Ｕｎｉｔ）３０１、ＲＡＭ（Ｒａｎｄｏｍ  Ａｃｃｅｓｓ  Ｍｅｍｏｒｙ）等のメインメモリであり、データの作業領域やデータの一時退避領域に用いられる主記憶部３０２、インターネット４０を介してデータの送受信を行う通信制御部３０３、液晶ディスプレイ、プリンタやスピーカ等の提示部３０４、キーボードやマウス等の入力部３０５、周辺機器と接続してデータの送受信を行うインタフェース部３０６、ＲＯＭ（Ｒｅａｄ  Ｏｎｌｙ  Ｍｅｍｏｒｙ）、磁気ディスク、半導体メモリ等の不揮発性メモリから構成されるハードディスク装置である補助記憶部３０７、本情報処理装置の上記各構成要素を相互に接続するシステムバス３０８等を備えている。
【００４８】
本発明によるサーバは、その動作を、サーバ内部にそのような機能を実現するプログラムを組み込んだ、ＬＳＩ（Ｌａｒｇｅ  Ｓｃａｌｅ  Ｉｎｔｅｇｒａｔｉｏｎ）等のハードウェア部品からなる回路部品を実装してハードウェア的に実現することは勿論として、上記した各構成要素の各機能を提供するプログラムを、コンピュータ処理装置上のＣＰＵ３０１で実行することにより、ソフトウェア的に実現することができる。
【００４９】
すなわち、ＣＰＵ３０１は、補助記憶部３０７に格納されているプログラムを、主記憶部３０２にロードして実行し、サーバの動作を制御することにより、上述した各機能をソフトウェア的に実現する。
【００５０】
（ランキングシステム設置の流れの概要について）
ここで、本実施の形態によるランキングシステムの設置の流れの概要について説明する。
【００５１】
まず、MySQL（MｙStructured Query Language）、PHPが使用できるサーバを用意する。（ランキングシステム利用者の契約ごとにレンタルサーバを借りる、又は専用に大容量のサーバを借りておき、ランキングシステム利用者の契約ごとにサブディレクトリで管理する。）
次いで、必要なファイルをサーバにアップロードする。
【００５２】
例として以下のものがあげられる。
【００５３】
login.php（ログイン画面・エラー表示画面）
main.php（新規登録及び売上管理画面）
add.php（新規登録確認画面及び新規登録処理）
delete.php（削除確認及び削除処理）
edit.php（登録情報変更画面）
lanking.php（携帯版も含む）又はlanking.swf（ランキング表示画面、ＰＣのみ）
次いで、必要な数のＩＤとパスワードをデータベースに登録しておく。
【００５４】
ランキングシステム利用者にlogin.phpと、lanking.php又はlanking.swfのURL、IDとパスワードを通知する。
【００５５】
（第１の実施の形態の動作）
第１の実施の形態によるランキングシステムの動作を説明する。
【００５６】
図４は、第１の実施の形態によるランキングシステムの１例である売上ランキング処理システムの動作を示すフローチャートである。
【００５７】
まず、初期状態として、管理サーバ２０の売上管理データ２６に売上情報が保持され、表示用フォーマットデータ２７に各種表示方法（表示タイプ）に対応する表示用フォーマットデータが保持されている。
【００５８】
そして、店舗１０A〜店舗１０Cや携帯端末３０から管理サーバ２０に対してなされた通信接続要求が、ログイン処理部２２によって認証されると、ログイン処理が行われる（ステップS１０１）。
【００５９】
図５に、ログイン処理が行われる際に店舗１０A〜店舗１０Cの店舗端末１１Ａ〜１１Ｃや携帯端末３０の表示手段に表示されるログイン画面を示す。
【００６０】
利用者は、図５に示すログイン画面の表示にしたがって利用者に固有のID及びパスワードを入力する。
【００６１】
すなわち、売上情報等を入力するための画面を表示する前に、予め定められたＩＤやパスワードにより、各種情報を入力でき、又は各種情報を取得できる担当者や店舗等を制限する。
【００６２】
また、ログイン処理部２２は、接続された通信による処理要求が、データの登録要求か、又は、データの閲覧要求かを判別する（ステップS１０２）。
【００６３】
ログイン処理部２２は、ステップS１０２において、データの登録要求であると判別すると、登録要求にかかるデータを受信し（ステップS１０３）、売上管理処理部２３及び登録情報処理部２４が、それぞれ処理を受け持つ情報に所定の処理を行い、売上管理データ２６が、上記所定の処理を行われたデータを保存（保持）する（ステップS１０４）。
【００６４】
このようにして、売上管理データ２６は随時更新されることとなる。
【００６５】
ここで、図５に示すログイン画面で入力されたＩＤとパスワードによって、データの登録要求を行った担当者や店舗等の利用者を識別して表示する画面の具体例について図６及び図７を用いて説明する。
【００６６】
図６は、利用者が売上情報を入力する売上管理画面を示し、図７は、同じく利用者が名前の登録情報を入力する登録情報変更画面を示す。
【００６７】
すなわち、図６に示す売上管理画面を参照すると、新しく入店した担当者名（名前）や、その担当者の今月の売上額、ランクを一番上の新規登録の項目に入力する。なお、一番上の新規登録の項目に商品、地域、数量の追加等の項目を設けて入力してもよい。
【００６８】
また、各担当者や各店舗等の売上の集計は、下の売上管理の項目に入力することによって行う。
【００６９】
また、当日の売上金を入力することで、自動計算を行い累計を表示する。
【００７０】
また、売上を加算する全ての担当者や店舗等の金額を入力後「売上を加算して再表示」のボタンを押す。
【００７１】
また、退店した担当者や閉店した店舗は右側削除ボタンにて削除を行う。
【００７２】
また、名前や店舗名及び金額等の訂正は、変更ボタンにより登録情報変更画面にて行う。
【００７３】
一方、図７に示す登録情報変更画面を参照すると、名前の変更や、ランクの変更、店舗が変わった場合等はこの画面の表示にしたがって行うこととなる。
【００７４】
一方、ログイン処理部２２は、ステップS１０２において、データの閲覧要求であると判別すると、表示処理部２５が、閲覧要求にしたがって売上管理データ２６及び表示用フォーマットデータ２７のデータを用いて、表示データを生成する表示処理を行い（ステップS１０５）、通信制御部２１が、データの閲覧要求を行った店舗１０A〜店舗１０Cの表示手段や店舗端末１１Ａ〜１１Ｃ及び携帯端末３０に表示データを送信する（ステップS１０６）。
【００７５】
図８に、データの閲覧要求を行った店舗１０A〜店舗１０Cの表示手段や店舗端末１１Ａ〜１１Ｃ、携帯端末３０に最終的に表示する表示画面の１例である売上ランキングの画面を示す。
【００７６】
すなわち、図８を参照すると、ランキング上位から順に８１、８２、８３と区分けされ、ランキング上位の区分け程、担当者名の文字が大きく目立つように表示されている。また、ランキング上位の区分けに属する担当者名が目立つように、配色や点滅やスクロール等の修飾が施されてもよい。
【００７７】
なお、時間設定により数秒毎に最新情報を取得し、最新売上ランキングを表示することができる。
【００７８】
また、画面右上に各種データの更新日時を示し、例えば、売上の更新日時は、最後に売上金を入力した時間が表示される。
【００７９】
また、売上金を変更しない限り、担当者情報の変更や新人の追加等では更新日時は変わらない。
【００８０】
ここで、図９に示すフローチャートを用いて、本発明の特徴であるステップS１０５の表示処理について詳細に説明する。
【００８１】
表示処理部２５は、売上管理データ２６から取得した登録データ（売上情報）に基づいて、売上順に登録データをソートし（ステップS２０１）、ソートした登録データに対する表示方法（表示タイプ）を選択する（ステップS２０２）。
【００８２】
図１０に、ステップS２０２で表示方法が選択される際に店舗１０A〜店舗１０Cの店舗端末１１Ａ〜１１Ｃや携帯端末３０の表示手段に表示される表示タイプ選択画面を示す。
【００８３】
図１０を参照すると、表示タイプ選択画面は、「１、標準表示タイプ」、「２、全画面表示タイプ」、「３、人数設定表示タイプ」、「４、スクロール表示タイプ」、「５、グラフ表示タイプ」、「６、系列店累計記録表示タイプ」から表示タイプを選択して入力することができる。
【００８４】
このようにして、管理サーバは、ステップS２０２において、図１０に示す表示タイプ選択画面の表示にしたがった利用者によって表示タイプを入力される。
【００８５】
なお、表示処理部２５は、表示タイプ選択画面で表示タイプを利用者に選択されると、さらに、表示タイプ選択画面と同様にして、利用者が属性データを選択できる属性データ選択画面（不図示）を表示してもよい。
【００８６】
すなわち、ステップS２０２で選択された表示方法（表示タイプ）に応じた表示画面フォーマット及び属性データが選択されることによって、表示する文字情報のフォントやピッチ、画像情報の添付・不添付等が選択される。
【００８７】
次いで、表示処理部２５は、閲覧要求にしたがって選択された表示方法に基づいて表示データを生成する（ステップS２０３）。
【００８８】
次いで、表示処理部２５は、生成した表示データを保存し（ステップS２０４）、保存した表示データを通信制御部２１に送信する（ステップS２０５）。
【００８９】
ここで、ステップS２０２で選択される表示タイプの具体例について、図１１〜図２１を用いて説明する。
【００９０】
図１１は、標準表示タイプについて説明する図である。
【００９１】
標準表示タイプにおいて、ランキング表示は、インターネットブラウザによってＨＴＭＬ（ＰＨＰ）ファイルで表示され、設定時間毎に更新され、現在の順位、前回の順位から何位ランクアップまたはダウンしたかが、ランキングに反映される。
【００９２】
また、自動更新時間設定は、秒単位で自由に設定でき、より最新の情報を取得することができる。
【００９３】
また、自動更新時間設定を調整する事で最新ランキングを取得及び表示するまでの間に、お店のコマーシャル等を映し出す。
【００９４】
また、各項目の表示・非表示の設定が切替できる。（ポイント（売上額）、アップダウン矢印、特別ランク等の表示・非表示）
また、表示切替ボタンにより１度に表示する人数の切替が可能となる。また、ランキングシステム利用者から予めランキングシステムへの設定人数を聞くことで、利用者ごとの表示人数を設定できる。
【００９５】
また、背景色は予め設定した標準色以外に、ランキングシステム利用者からの希望の色を初期設定とする事が可能である。
【００９６】
また、タイトルや罫線等のデザインは、利用者の希望があればオーダーメイド式に設定を行うことができる。
【００９７】
また、ポイント（金額）以外の特別ランク表示を設定可能とし、順位に左右されないランク付けを行うことができる。さらに、利用者の希望によりアルファベット、数字等の段階表示を初期設定として設定できる。
【００９８】
図１２は、全画面表示タイプについて説明する図である。
【００９９】
全画面表示タイプは、Macromedia(R)Flash(R)のソフトやJava（登録商標）Scriptのプログラムを使用することにより、インターネットブラウザの枠を非表示にするなどしてモニター画面にランキングをフル画面で表示する。なお、標準表示と同様の表示画面の設定が可能である。
図１３は、人数設定表示タイプについて説明する図である。
【０１００】
表示人数は自由に設定でき、表示時間を決めてページを切り替えて全員分を表示することも設定できる。ランキングの更新間隔の時間も秒単位で自由に設定できる。
【０１０１】
図１４は、スクロール表示タイプについて説明する図である。
【０１０２】
表示する順位を下位又は上位から表示人数設定分のみスクロールさせる。
【０１０３】
スクロールスピードの調整、常に見えている人数、文字の大きさ等は設定の変更が可能である。
【０１０４】
図１５は、奥行きのあるスクロール表示タイプについて説明する図である。
【０１０５】
手前から奥にスクロールさせることも、また、奥から手前へスクロールさせることも設定可能である。
【０１０６】
スクロールのスピード調整、常に見えている人数、文字の大きさ等も設定可能である。
【０１０７】
図１６は、上位数名を１人ずつ紹介していく表示タイプについて説明する図である。
【０１０８】
上位数名（設定可能）は写真・簡易プロフィールと共に一人ずつ表示する。利用者の設定により設定した順位以下はスクロールさせて表示するか、又は数名ずつ表示する。
【０１０９】
図１７は、棒グラフ表示タイプについて説明する図である。
【０１１０】
数字ではなく棒グラフにて取得ポイントを分かりやすく表示する。表示人数や棒グラフの配色等の変更が可能であり、また、加算された数字により、順番を変動させずに棒グラフのみを動かすことも可能である。
【０１１１】
図１８は、左右へのスクロール表示タイプについて説明する図である。
【０１１２】
数名ずつ（人数設定は可能）を横からのスクロールで表示させる。上位数名を写真付きで表示させた後、数名ずつを写真抜きで一覧表示させることもできるし、全員を写真付き表示させることも可能である。
【０１１３】
図１９は、一行スクロール表示タイプについて説明する図である。
【０１１４】
メイン画面は別の映像等を流しているが、ニュース速報のようにランキング内容が画面の上端等をスクロールして表示される。これによって、表示人数や表示するタイミング等を自由に設定できる。
【０１１５】
図２０は、１人分年間記録表示タイプについて説明する図である。
【０１１６】
各担当者のポイント（売上額）の記録を折れ線グラフで表示する。折れ線グラフを棒グラフに切り替えて表示することもできる。表示時間の設定により次の順位の人を順次表示していく。
【０１１７】
図２１は、系列店年間累計記録表示タイプについて説明する図である。
【０１１８】
系列店同士のランキングを表示する。月間・年間の表示の切替ができる。各店舗１位の人を表示すると共に棒グラフにてスタッフ累計ポイント（売上額）を表示する。
【０１１９】
管理サーバ２０は、図１０〜図２０に具体例として示された表示タイプが選択されて所定の処理を行うと、選択された表示タイプの設定に基づいて、データの閲覧要求をした店舗１０A〜店舗１０Cの表示手段や店舗端末１１Ａ〜１１Ｃ、携帯端末３０にランキングをリアルタイムで表示（ランキング表示）する。
【０１２０】
このランキング表示は、具体的には、Macromedia(R)Flash(R)のswf実行ファイル、またはインターネットブラウザによって、Macromedia(R)Flash(R)のswf（Shockwave Flash関数）ファイル、もしくはHTML（PHP）（Hypertext Preprocessor）ファイルで表示され、例えば、表示データが２０秒ごとに更新されることによって、現在の順位、前回の順位から何位ランクアップまたはダウンしたかがランキングに随時反映される。
【０１２１】
なお、利用者が管理サーバ２０に対してオプションとして各種設定をすることによって、登録した人員のメールアドレス（携帯メールアドレスも可）へブラウザ（管理画面）からメールを送信したり、店舗ごとや商品ごとに、一言コメントや覚え書き、注意点、指示などを書き込み、表示させることもできる。また、上記各種設定によって、担当者管理データや商品管理データなどを管理することによって、これらのデータについて一覧表示や一覧印刷をすることもでき、さらに、例えば、１０月１日の午前０時から６時までの売上は９月３０日の売上に追加して売上更新するように、日付けをまたいでの売上更新も可能である。
【０１２２】
また、オプションとして各種設定をすることにより、例えば、過去１年間の売上を個別に保存することによって、売上の推移や累計をグラフや数字で表示、印刷することができ、さらに、例えば、１月から１２月の各売上は、それぞれその月の１日の指定した時間（例：朝６時）に、cronによってreset.phpファイルを実行してリセットすることも可能である。
【０１２３】
上記のようにして、各種設定を行うことにより、本実施の形態によるランキングシステムのランキングの表示内容のバリエーションとして、ランキング順、又は特定の担当者の情報を拡大表示することや、上位又は特定の担当者に関する画像を表示することや、上位又は特定の担当者の表示に対して修飾する文字や図形を表示することができる。
【０１２４】
ここで、表示データの表示方法についての具体例を以下に示す。
【０１２５】
（１）順位表示は、ランクアップやランクダウンを示す矢印によって表示する。
【０１２６】
（２）Ｆｌａｓｈアニメーションにより上位から1人ずつ又は１店舗ずつ紹介する。また、ムービーや音声を登録することで動的なページを表示する。さらに、各担当者や各店舗の写真を登録することにより、ランキング表示と共に写真付きで表示する。
【０１２７】
（３）売上額をポイント化し、ポイント（金額）を１年間記録し、常に１年分のデータを折れ線グラフ等で表示する。また、時期及び状況に応じて、年間ランキングと月間ランキングを切替可能に表示する。
【０１２８】
（４）店内のモニターにランキングを表示する以外に、各店舗のオフィシャルウェブサイトとリンクして、各店舗オフィシャルウェブサイトからも人気順位の閲覧を可能とする。
【０１２９】
（５）通常の担当者ランキングと系列店舗ごとの売上順ランキング（棒グラフ表示等）に切替可能に表示する。
【０１３０】
（６）管理用ページにより、ランキング表示の背景色及びフォントカラー等を変更可能に表示する。
【０１３１】
（７）各社携帯電話から閲覧可能に表示する。これによって、移動先でもランキングチェックが可能となる。
【０１３２】
（８）ＰＨＰ、ＣＧＩ、ＪＡＶＡ（登録商標）等を有効に活用した動的なビューを表示する。
（ランキングシステム使用方法について）
ここで、ランキングシステムの利用者によるランキングシステム使用方法について説明する。
【０１３３】
（１）初回の使用法について
まず、利用者が通信端末や携帯端末３０によってlogin.phpにアクセスし、IDとパスワードを入力する。
【０１３４】
次いで、利用者は、表示画面上のログインボタンを押し、main.phpへアクセスする。
【０１３５】
次いで、利用者は、表示画面上の新規登録フォームから人数分のデータ（名前、店名、ランク、売上高等）を入力する。
【０１３６】
この時、管理画面において、新規登録された人は、例えば、下線付きの緑色の字で表示される。
【０１３７】
（２）人数追加時の使用方法について
まず、利用者が、表示画面上の新規登録フォームから新規追加分のデータ（名前、店名、ランク、売上高等）を入力する。
【０１３８】
この時、管理画面において、新規登録された人は、例えば、下線付きの緑色の字で表示される。なお、この緑字での表示は次回売上金額更新時に、例えば、黒字表示になる。
【０１３９】
（３）売上加算時の使用方法について
まず、利用者が、売上を加算する担当者や店舗等ごとに固有の売上加算フォームに金額を入力し、売上を加算する全ての担当者や店舗等の金額を入力後、例えば、「売上を加算して再表示」のボタンを押す。この時、管理画面において売上が加算された人は、例えば、下線付きの赤字で表示される。なお、この赤字での表示は次回売上金額更新時に、例えば、黒字表示になる。
【０１４０】
（４）登録情報変更時の使用方法について
まず、利用者が、登録情報を変更する担当者や店舗等ごとに固有の「変更」ボタンを押し、登録情報変更画面を表示させる。登録情報変更画面上の登録情報変更フォームにある登録情報を変更後、例えば、「登録情報を変更して管理画面へ戻る」のボタン押す。
【０１４１】
すると、登録情報変更画面が自動的に管理画面に戻り、登録情報が変更された担当者や店舗等は、例えば、下線付きの青字で表示される。なお、この青字での表示は次回売上金額更新時に、例えば、黒字表示になる。
【０１４２】
（５）ランキング閲覧時の使用方法について
利用者が、インターネットブラウザからlanking.phpまたはlanking.swfへアクセスするか、もしくは、ローカルコンピュータ内のlanking.swfを起動することによってランキングを表示させて閲覧する。
【０１４３】
（第１の実施の形態の効果）
本実施の形態によれば、売上管理データ２６から取得した更新後の情報に基づいて売上順にソートした登録データに対する表示方法（表示タイプ）を随時選択し、選択した表示方法（表示タイプ）に基づいて表示データを随時生成することができるので、同一の登録データを複数の表示方法によって随時表示することができることから、表示された登録データに利用者の興味を一層惹きつけることができ、登録データの内容を利用者に強く印象付けることができるため、さらに利用者のやる気や顧客吸引力が向上する。
【０１４４】
以上好ましい実施の形態をあげて本発明を説明したが、本発明は必ずしも、上記実施の形態に限定されるものでなく、その技術的思想の範囲内において様々に変形して実施することができる。
【０１４５】
例えば、本発明によるランキングシステムをラブホテルの検索サイトに適用する場合は、提携したラブホテルの部屋情報を公開すると共に、稼働率の高い部屋を各ホテルからオンライン上でリアルタイムに集計しランキング表示することもできる。また、各ラブホテルや各部屋に対するお客様ごとの評価も表示することができる。
【０１４６】
上記によれば、検索サイトの紹介及び人気の部屋の紹介ができ、さらに、検索サイトの情報をラブホテル側のサービス向上のための資料として利用することができる。
【０１４７】
また、同様に、例えば、パチンコ店に適用する場合は、パチンコ台に使用された玉数とパチンコ台から出た玉数を自動カウントして、出玉率のベスト台及びワースト台を表示することができ、また、現在の各パチンコ台の出玉率等の情報をインターネットを介してリアルタイムで利用者へ開示することによって利用者に当該パチンコ店への興味を持たせることができるため、集客率が向上する。
【０１４８】
また、同様に、例えば、居酒屋に適用する場合は、系列店の売上管理メニューをランキングにて表示することができるため、全国にあるチェーン店のデータを通してメニュー編成や出店及び閉店の検討を行うための資料として活用することができる。
【０１４９】
また、同様に、例えば、風俗店に適用する場合は、各風俗店の人気の女性や男性のランキングを表示することができる。また、例えば、指名された回数をカウントして公開したり、各店舗のオフィシャルサイトにリンクして実際指名された回数とネット上での人気投票とを公開したりすることによって、当該風俗店の認知率及び集客力を向上させることができる。
【０１５０】
また、同様に、例えば、ホテルに適用する場合は、各サービスに従事する従業員に対してのお客様満足度のランキングを表示することができる。また、例えば、部屋の稼働率をカウントすることによって、サービス向上に向けての資料として利用することができる。
【０１５１】
また、同様に、例えば、出版社に適用する場合は、書籍の販売数をリアルタイムでカウントして表示したり、WEB上での上位書籍レビューもオプションで表示することができる。また、全国の主要な本屋で提携を結び、リアルタイムに売れ筋人気を全国規模でランキング表示することや、地域別にカウントを取ることによって各地域の売れ筋人気をリアルタイムでランキング表示することもできる。
【０１５２】
また、同様に、例えば、車種メーカーに適用する場合は、全国主要なディーラーから、車種別に試乗率や販売台数等の情報を集めてリアルタイムに市場調査を行うことができる。このため、大手中古車市場への資料としても利用することができる。
【０１５３】
また、同様に、例えば、駐車場に適用する場合は、都市別利用率、及び空スペースの状況をリアルタイムで表示することができる。なお、この場合、携帯電話からの高アクセスを想定してモバイルコンテンツの強化を行うことが望ましい。
【０１５４】
また、同様に、例えば、旅行代理店に適用する場合は、人気のツアー別ランキングや、お客様満足度のランキングを表示することができる。
【０１５５】
また、同様に、例えば、ガソリンスタンドに適用する場合は、各地系列店のガソリンスタンド周辺のガソリン等の価格ランキングを表示することができる。上位（単価格が低い）からの一般公示にてWEB上でお得なガソリンスタンドを公表することができる。
【０１５６】
また、ランキング登録者の担当者データを入力する場合には、インターネットを通じて社員や店員の管理を円滑に行うことができる。
【０１５７】
また、１日１回自動的に、各担当者の順位を携帯電話メール宛に通知してもよい。
【０１５８】
また、市販の表計算ソフト及び会計ソフト等との連結により、自動的に売上管理を行ってもよい。
【０１５９】
また、売上管理のランキングとは別に、ウェブ上で一般人気投票を行いランクを付けても良い。
【図面の簡単な説明】
【０１６０】
【図１】本発明の第１の実施の形態によるランキングシステムの構成の概略を示す図である。
【図２】第１の実施の形態によるランキングシステムにおける管理サーバの詳細な構成を示すブロック図である。
【図３】第１の実施の形態によるランキングシステムにおける管理サーバのハードウェア構成を示すブロック図である。
【図４】第１の実施の形態によるランキングシステムの１例である売上ランキング処理システムの動作を示すフローチャートである。
【図５】第１の実施の形態によるランキングシステムの１例である売上ランキング処理システムにおいてログイン処理が行われる際に表示されるログイン画面である。
【図６】第１の実施の形態によるランキングシステムの１例である売上ランキング処理システムにおいて利用者が売上情報を入力する売上管理画面である。
【図７】第１の実施の形態によるランキングシステムの１例である売上ランキング処理システムにおいて利用者が名前の登録情報を入力する登録情報変更画面である。
【図８】第１の実施の形態によるランキングシステムの１例である売上ランキング処理システムが最終的に表示する表示画面の１例である売上ランキングの画面である。
【図９】第１の実施の形態によるランキングシステムの１例である売上ランキング処理システムの表示処理の動作を示すフローチャートである。
【図１０】第１の実施の形態によるランキングシステムステップの表示方法の選択動作において表示される表示タイプ選択画面である。
【図１１】第１の実施の形態によるランキングシステムの表示方法の選択動作において選択される表示タイプの具体例である。
【図１２】第１の実施の形態によるランキングシステムの表示方法の選択動作において選択される表示タイプの具体例である。
【図１３】第１の実施の形態によるランキングシステムの表示方法の選択動作において選択される表示タイプの具体例である。
【図１４】第１の実施の形態によるランキングシステムの表示方法の選択動作において選択される表示タイプの具体例である。
【図１５】第１の実施の形態によるランキングシステムの表示方法の選択動作において選択される表示タイプの具体例である。
【図１６】第１の実施の形態によるランキングシステムの表示方法の選択動作において選択される表示タイプの具体例である。
【図１７】第１の実施の形態によるランキングシステムの表示方法の選択動作において選択される表示タイプの具体例である。
【図１８】第１の実施の形態によるランキングシステムの表示方法の選択動作において選択される表示タイプの具体例である。
【図１９】第１の実施の形態によるランキングシステムの表示方法の選択動作において選択される表示タイプの具体例である。
【図２０】第１の実施の形態によるランキングシステムの表示方法の選択動作において選択される表示タイプの具体例である。
【図２１】第１の実施の形態によるランキングシステムの表示方法の選択動作において選択される表示タイプの具体例である。
【符号の説明】
【０１６１】
１０，１０A〜１０C：店舗
１１A〜１１C：店舗端末
２０：管理サーバ
２１：通信制御部
２２：ログイン処理部
２３：売上管理処理部
２４：登録情報処理部
２５：表示処理部
２６：売上管理データ
２７：表示用フォーマットデータ
３０：携帯端末
４０：インターネット
３０１：CPU
３０２：主記憶部
３０３：通信制御部
３０４：提示部
３０５：入力部
３０６：インタフェース部
３０７：補助記憶部
３０８：システムバス
【図１】
2007102432.tif 000003
【図２】
2007102432.tif 000004
【図３】
2007102432.tif 000005
【図４】
2007102432.tif 000006
【図５】
2007102432.tif 000007
【図６】
2007102432.tif 000008
【図７】
2007102432.tif 000009
【図８】
2007102432.tif 000010
【図９】
2007102432.tif 000011
【図１０】
2007102432.tif 000012
【図１１】
2007102432.tif 000013
【図１２】
2007102432.tif 000014
【図１３】
2007102432.tif 000015
【図１４】
2007102432.tif 000016
【図１５】
2007102432.tif 000017
【図１６】
2007102432.tif 000018
【図１７】
2007102432.tif 000019
【図１８】
2007102432.tif 000020
【図１９】
2007102432.tif 000021
【図２０】
2007102432.tif 000022
【図２１】
2007102432.tif 000023